(57)【特許請求の範囲】
【請求項１】
少なくとも口及び鼻を覆うマスク本体と、
前記マスク本体の一側の第１端部の上側及び下側にそれぞれ上端及び下端が固定された第１紐部材と、
前記マスク本体の他側の第２端部の上側及び下側にそれぞれ上端及び下端が固定された第２紐部材と、
前記第１端部に設けられ、前記第２紐部材を掛止する第１掛止部材と、
前記第２端部に設けられ、前記第１紐部材を掛止する第２掛止部材と、
を備えるマスク。
【請求項２】
前記第１掛止部材は、前記第１端部の上側半部内に設けられ、
前記第２掛止部材は、前記第２端部の上側半部内に設けられることを特徴とする、請求項１に記載のマスク。
【請求項３】
前記第１及び第２掛止部材は、それぞれ前記第２及び第１紐部材を摺動可能に掛止することを特徴とする、請求項１又は２に記載のマスク。
【発明の詳細な説明】
【技術分野】
【０００１】
本発明は、マスクに関する。
【背景技術】
【０００２】
呼吸により口或いは鼻から塵埃、花粉、ウィルス等を体内に吸入するのを防ぐ目的、咳等によりウィルス等を含んだ分泌物を体外に飛散するのを防ぐ目的、その他、口及び鼻等の防寒の目的で、マスクが利用される。
【０００３】
従来のマスクは、口及び鼻をカバーするマスク本体の両端に紐が固定され、その紐を両耳に掛けることで着用することができる。しかし、紐を耳に掛けると不快を感じるなど、必ずしも快適に着用できるものではなかった。また、耳の防寒の目的で耳を覆う場合には、紐を耳に掛けることができない。
【０００４】
そこで、特許文献１には、横方向に長く構成された覆面部の両端を面ファスナにより止着することで、口、鼻、及び頬を密着状態で覆う防寒用フェースマスクが開示されている。また、特許文献２には、フック部材を用いてマスク本体の両側に紐の両端をそれぞれ固定し、その紐を頸部に回すことで、耳に掛けることなく装着することのできるマスクが開示されている。しかし、いずれのマスクも覆面部の両端又は紐を頸部に掛けることで装着する構成のため、マスク本体が下にずれやすいという問題がある。
【先行技術文献】
【特許文献】
【０００５】
【特許文献１】登録実用新案３０１７１３７号公報
【特許文献２】特開２０１２−０７５７９３号公報
【発明の概要】
【発明が解決しようとする課題】
【０００６】
本発明は、紐を耳に掛けることなく安定に装着可能なマスクを提供することを課題とする。
【課題を解決するための手段】
【０００７】
本発明は、少なくとも口及び鼻を覆うマスク本体と、マスク本体の一側の第１端部の上側及び下側にそれぞれ上端及び下端が固定された第１紐部材と、マスク本体の他側の第２端部の上側及び下側にそれぞれ上端及び下端が固定された第２紐部材と、第１端部に設けられ、第２紐部材を掛止する第１掛止部材と、第２端部に設けられ、第１紐部材を掛止する第２掛止部材と、を備えるマスクである。
【０００８】
これによれば、マスク本体により口及び鼻を覆い、第１紐部材の中部を第２掛止部材に掛止し、その第１紐部材の中部と上端との間を後頭部に掛け、中部と下端との間を頸部に掛け、同様に、第２紐部材の中部を第１掛止部材に掛止し、その第２紐部材の中部と上端との間を後頭部に掛け、中部と下端との間を頸部に掛けることで、マスクを安定して装着することができる。
【０００９】
本発明のマスクは、第１掛止部材は、第１端部の上側半部内に設けられ、第２掛止部材は、第２端部の上側半部内に設けられることを特徴とする。
【００１０】
これによれば、第１掛止部材に掛止される第２紐部材の中部と上端との間を後頭部に掛け、第２掛止部材に掛止される第１紐部材の中部と上端との間を後頭部に掛けることで、口及び鼻を覆うマスク本体が上下にずれることなく安定に装着することができる。
【００１１】
また、第１掛止部材は、第１端部の第１紐部材の上端より上側に設けられ、第２掛止部材は、第２端部の第２紐部材の上端より上側に設けられることとしてもよい。
【００１２】
こうすれば、第１掛止部材に掛止される第２紐部材の中部と上端との間を後頭部に掛け、第２掛止部材に掛止される第１紐部材の中部と上端との間を後頭部に掛けた際に、口及び鼻を覆うマスク本体の下方が後頭部に向けて引かれることがない。マスク本体が反り返ってしまったり上下にずれてしまったりすることなくより安定に装着することができる。
【００１３】
本発明のマスクは、第１及び第２掛止部材は、それぞれ第２及び第１紐部材を摺動可能に掛止することを特徴とする。
【００１４】
これによれば、第１及び第２掛止部材に掛止される第２及び第１紐部材の中部の位置を調整することができる。紐部材は、中部の上端側が後頭部に、中部の下端側が頸部に掛けられるが、上端側と下端側の長さが相違する。中部の位置の調整が重要である。
【発明の効果】
【００１５】
本発明のマスクによれば、マスク本体により少なくとも口及び鼻を覆って、安定に装着することが可能となる。
【図面の簡単な説明】
【００１６】
【図１】図１は、一実施形態に係るマスクの構成を示す図（正面図）である。
【図２】図２は、マスクの紐をフックに掛けた状態を裏側から示す図である。
【図３】図３は、マスクを装着した状態を左から示す図である。
【発明を実施するための形態】
【００１７】
以下、本発明の一実施形態について説明する。
【００１８】
図１に、本実施形態に係るマスク１の構成を示す。マスク１は、一例として衛生或いは防護の目的、すなわち呼吸により口或いは鼻から塵埃、花粉、ウィルス等を体内に吸入するのを防ぐ目的で使用されるマスクであり、マスク本体２、紐３ａ，３ｂ、及びフック４ａ，４ｂから構成される。
【００１９】
マスク本体２は、少なくとも口及び鼻を覆う例えば鼻に合わせた立体形状のカバーである。矩形状（例えば長辺１７ｃｍ及び短辺１０ｃｍ）のものでもよい。また、耳をも覆うものであってもよい。複数（例えば１２）重ねたガーゼ、適度の厚さの不織布等、通気性を有する布部材から構成される。マスク本体２には、長手方向に延びる幅約５ｍｍのプリーツ（折ひだ）２ａが、上側に上向きに２つ、下側に下向きに２つ、計４つ並設されている。それにより、マスク１を装着した際に４つのプリーツ２ａが広がることで、マスク本体２が口及び鼻の全体を覆う。なお、プリーツ２ａは必ずしもなくてよい。
【００２０】
紐３ａ，３ｂは、一例として伸張可能なゴム等の紐部材であり、その長さは例えば５０ｃｍであり、およそ８０ｃｍに伸長する。紐３ａは、その上端及び下端がマスク本体２の右短辺（図面左側の短辺）の上側及び下側にそれぞれ固定されている。同様に、紐３ｂは、その上端及び下端がマスク本体２の左短辺（図面右側の短辺）の上側及び下側にそれぞれ固定されている。
【００２１】
フック４ａ，４ｂは、それぞれ紐３ｂ，３ａを掛止する掛止部材であり、一例として先端が一側に湾曲する鉤形のフックを採用する。フック４ａは、その先端をマスク本体２の表側（紙面手前側）に向けて、その基端がマスク本体２の右短辺（図面左側の短辺）の上側に固定されている。同様に、フック４ａは、その先端をマスク本体２の表側（紙面手前側）に向けて、その基端がマスク本体２の左短辺（図面右側の短辺）の上側に固定されている。
【００２２】
フック４ａ，４ｂは、例えば、熱可塑性ポリウレタンを成形して形成することができる。ここで、フック４ａ，４ｂの表面は滑らかに加工され、フック４ａ，４ｂは紐３ｂ，３ａを摺動可能に掛止する。それにより、フック４ａ，４ｂに掛止される紐３ｂ，３ａの位置を容易に調整することができる。
【００２３】
図２及び図３を用いて、マスク１を装着する手順について説明する。
【００２４】
マスク本体２を、プリーツ２ａを拡げて口及び鼻に被せる。プリーツ２ａがない場合には、マスク本体２の立体形状を鼻に合わせて口及び鼻に被せる。
【００２５】
次に、図２に示すように、マスク本体２の右短辺から紐３ａを後方に引き、頸部又は後頭部（図２では不図示、図３参照）の後ろを介して、マスク本体２の左短辺に固定されたフック４ｂにその中部を掛止する。ここで、図３に示すように、マスク本体２の下側に固定された紐３ａの上端とフック４ｂに掛止された紐３ａの中部との間、すなわち紐３ａの下半部を頸部（の後側）に掛け、マスク本体２の上側に固定された紐３ａの下端とフック４ｂに掛止された紐３ａの中部との間、すなわち紐３ａの上半部を後頭部（の後側）に掛ける。
【００２６】
同様に、図２に示すように、マスク本体２の左短辺から紐３ｂを後方に引き、頸部又は後頭部（図２では不図示、図３参照）の後ろを介して、マスク本体２の右短辺に固定されたフック４ａにその中部を掛止する。ここで、図３に示すように、マスク本体２の下側に固定された紐３ｂの上端とフック４ａに掛止された紐３ｂの中部との間、すなわち紐３ｂの下半部を頸部（の後側）に掛け、マスク本体２の上側に固定された紐３ｂの下端とフック４ａに掛止された紐３ｂの中部との間、すなわち紐３ｂの上半部を後頭部（の後側）に掛ける。
【００２７】
ここで、フック４ａはマスク本体２の右短辺の上側半部内に設けられ、フック４ｂはマスク本体２の左短辺の上側半部内に設けられている。それにより、紐３ａ，３ｂの上半部を後頭部に掛けることで、マスク１を、口及び鼻を覆うマスク本体２が上下にずれることなく安定に装着することができる。
【００２８】
特に、本実施形態のマスク１では、フック４ａはマスク本体２の右短辺の紐３ａの上端より上側に固定され、フック４ｂはマスク本体２の左短辺の紐３ｂの上端より上側に固定されている。それにより、マスク１をより安定に装着することができる。
【００２９】
以上詳細に説明したように、本実施形態のマスク１は、少なくとも口及び鼻を覆うマスク本体２、マスク本体２の右短辺の上側及び下側にそれぞれ上端及び下端が固定された紐３ａ、マスク本体２の左短辺の上側及び下側にそれぞれ上端及び下端が固定された紐３ｂ、マスク本体２の右短辺に固定され、紐３ｂを掛止するフック４ａ、及びマスク本体２の左短辺に固定され、紐３ａを掛止するフック４ｂから構成される。それにより、マスク本体２により口及び鼻を覆い、紐３ａをフック４ｂに掛止し、その紐３ａの上半部を後頭部に掛け、下半部を頸部に掛け、同様に、紐３ｂをフック４ａに掛止し、その紐３ｂの上半部を後頭部に掛け、下半部を頸部に掛けることで、マスク１を安定して装着することができる。
【００３０】
なお、本実施形態のマスク１では、マスク本体２は口及び鼻を覆うものとして構成したが、耳等、その他の顔の部位を含んで覆うこととしてもよい。また、マスク本体２の形状も鼻に合わせた立体形状や矩形に限らず楕円形等でもよい。
【００３１】
また、本実施形態のマスク１では、フック４ａ，４ｂを鉤状に形成したが、紐３ａ，３ｂを掛止することができれば、その他の形状を採用することもできる。また、フック４ａ，４ｂを、鉤状に湾曲した先端を表側に向けてマスク本体２に固定したが、紐３ａ，３ｂを掛止することができれば、裏側に向けて固定しても良い。また、フック４ａ，４ｂを、マスク本体２から突出させて固定したが、マスク本体２から突出させずにマスク本体２の上に固定しても良い。
【産業上の利用可能性】
【００３２】
本発明のマスクは、マスク本体により少なくとも口及び鼻を覆って、安定に装着するのに好適である。
【符号の説明】
【００３３】
１    マスク
２    マスク本体
２ａ  プリーツ
３ａ  紐
３ｂ  紐
４ａ  フック
４ｂ  フック
【図１】
0006400987.tif 000002
【図２】
0006400987.tif 000003
【図３】
0006400987.tif 000004